(57)【要約】【課題】ワイヤレスフラッシュ撮影を行うことができるカメラにおいて、各ワイヤレスフラッシュ装置の設定の変更とその効果の確認とを迅速に行うことが可能なカメラを提供すること。【解決手段】遠隔配置された外部フラッシュ装置２００ａ〜２００ｃを用いて撮影動作を実行可能なカメラにおいて、カメラ１００の動作モードがワイヤレスフラッシュ撮影用のＲＣモードに設定された場合には、ＩＮＦＯボタン４ｆの押し下げに応じてワイヤレスフラッシュ撮影の動作条件の設定変更画面を含む画面が表示されるように画面遷移を行い、ＲＣモード以外では、ＩＮＦＯボタン４ｆの押し下げに応じてワイヤレスフラッシュ撮影の設定変更画面が表示されないように画面遷移を行う。【選択図】図６
2009098297.tif 000002
【特許請求の範囲】
【請求項１】
遠隔配置された照明装置を用いて撮影動作を実行可能なカメラにおいて、
画像と情報とを選択的に表示する表示手段と、
上記カメラの動作モードを通常モード又は照明装置制御モードに設定するモード設定手段と、
上記カメラの動作モードが上記通常モードに設定された場合に、上記画像と、上記照明装置に係る情報を含まない上記情報とを選択的に上記表示手段に表示させ、上記カメラの動作モードが上記照明装置制御モードに設定された場合に、上記画像と、上記照明装置に係る情報を含まない上記情報と、上記照明装置に係る情報を含む上記情報とを選択的に上記表示手段に表示させるように制御する制御手段と、
を具備することを特徴とするカメラ。
【請求項２】
上記制御手段は、上記カメラの動作モードが上記通常モードに設定された場合に、まず上記表示手段に上記照明装置に係る情報を含まない上記情報を表示させ、その後、上記画像と上記照明装置に係る情報を含まない上記情報を選択的に表示させるように制御し、上記カメラの動作モードが上記照明装置制御モードに設定された場合に、まず上記表示手段に上記照明装置に係る情報を含む上記情報を表示させ、その後、上記画像、上記照明装置に係る情報を含まない上記情報、上記照明装置の情報を含む上記情報を選択的に表示させるように制御することを特徴とする請求項１に記載のカメラ。
【請求項３】
遠隔配置された照明装置を用いて撮影動作を実行可能なカメラにおいて、
画像と情報とを選択的に表示する表示手段と、
上記カメラの動作モードを通常モード又は照明装置制御モードに設定するモード設定手段と、
上記表示手段に上記照明装置に係る情報を含む上記情報が表示されたときに、上記カメラの動作モードを上記照明装置制御モードに設定するように制御する制御手段と、
を具備することを特徴とするカメラ。
【請求項４】
遠隔配置された照明装置を用いて撮影動作を実行可能なカメラにおいて、
画像と情報とを選択的に表示する表示手段と、
上記カメラに着脱自在に構成された外部照明装置に設けられる表示部に、上記遠隔配置された照明装置に係る情報を含む情報が表示されたときに、上記表示手段への上記遠隔配置された照明装置に係る情報を含む情報の表示を禁止するように制御手段と、
を具備することを特徴とするカメラ。
【発明の詳細な説明】
【技術分野】
【０００１】
本発明は、遠隔配置された照明装置を用いて撮影動作を行うカメラに関する。
【背景技術】
【０００２】
撮像装置の補助照明としてのフラッシュ装置を、該フラッシュ装置に対して遠隔配置された別のフラッシュ装置からの光信号通信制御等による無線通信によって発光制御するワイヤレスフラッシュシステムが知られている。このようなワイヤレスフラッシュシステムを用いた撮影では被写体のライティングを自在に行うことができる。また、近年では、撮像装置としてデジタルカメラが広く使われるようになり、フィルムを現像しなくてもライティングの結果を確認できるのでワイヤレスフラッシュシステムの活用場面はますます増大している。
【０００３】
上述のワイヤレスフラッシュシステムの制御をカメラのＬＣＤパネル上で容易に行う方法として、特許文献１の技術が知られている。この特許文献１の技術は、デジタルカメラの内蔵フラッシュ装置によってワイヤレスフラッシュ装置を制御するものであり、ワイヤレスフラッシュ装置の設定をカメラのＬＣＤパネル上で行えるようにしている。
【特許文献１】特開２０００−８９３０８号公報
【発明の開示】
【発明が解決しようとする課題】
【０００４】
近年のデジタルカメラでは、撮影結果の予測が難しいワイヤレスフラッシュ撮影においては、まずテスト撮影を行い、そのテスト撮影の結果により複数のワイヤレスフラッシュ装置をそれぞれ独立して設定することが多い。そのため、撮影結果の確認と各ワイヤレスフラッシュ装置の設定とをスムーズに行うことが求められている。しかしながら、上記特許文献１の手法は、フィルムカメラを想定しており、撮影動作後の撮影結果の確認について特に記載されていない。
【０００５】
本発明は、上記の事情に鑑みてなされたものであり、ワイヤレスフラッシュ撮影を行うことができるカメラにおいて、各ワイヤレスフラッシュ装置の設定の変更とその効果の確認とを迅速に行うことができるカメラを提供することを目的とする。
【課題を解決するための手段】
【０００６】
上記の目的を達成するために、本発明の第１の態様のカメラは、遠隔配置された照明装置を用いて撮影動作を実行可能なカメラにおいて、画像と情報とを選択的に表示する表示手段と、上記カメラの動作モードを通常モード又は照明装置制御モードに設定するモード設定手段と、上記カメラの動作モードが上記通常モードに設定された場合に、上記画像と、上記照明装置に係る情報を含まない上記情報とを選択的に上記表示手段に表示させ、上記カメラの動作モードが上記照明装置制御モードに設定された場合に、上記画像と、上記照明装置に係る情報を含まない上記情報と、上記照明装置に係る情報を含む上記情報とを選択的に上記表示手段に表示させるように制御する制御手段とを具備することを特徴とする。
【０００７】
また、上記の目的を達成するために、本発明の第２の態様のカメラは、遠隔配置された照明装置を用いて撮影動作を実行可能なカメラにおいて、画像と情報とを選択的に表示する表示手段と、上記カメラの動作モードを通常モード又は照明装置制御モードに設定するモード設定手段と、上記表示手段に上記照明装置に係る情報を含む上記情報が表示されたときに、上記カメラの動作モードを上記照明装置制御モードに設定するように制御する制御手段とを具備することを特徴とする。
【０００８】
また、上記の目的を達成するために、本発明の第３の態様のカメラは、遠隔配置された照明装置を用いて撮影動作を実行可能なカメラにおいて、画像と情報とを選択的に表示する表示手段と、上記カメラに着脱自在に構成された外部照明装置に設けられる表示部に、上記遠隔配置された照明装置に係る情報を含む情報が表示されたときに、上記表示手段への上記遠隔配置された照明装置に係る情報を含む情報の表示を禁止するように制御手段とを具備することを特徴とする。
【発明の効果】
【０００９】
本発明によれば、ワイヤレスフラッシュ撮影を行うことができるカメラにおいて、各ワイヤレスフラッシュ装置の設定の変更とその効果の確認とを迅速に行うことが可能なカメラを提供することができる。
【発明を実施するための最良の形態】
【００１０】
以下、図面を参照して本発明の実施形態を説明する。  
［第１の実施形態］
まず、本発明の第１の実施形態について説明する。図１は、本発明の第１の実施形態に係るカメラの外観図である。ここで、図１（ａ）はカメラの上面斜視図を示し、図１（ｂ）はカメラの背面斜視図を示している。
【００１１】
図１（ａ）及び図１（ｂ）に示すカメラは、例として一眼レフレックスタイプのカメラを示している。即ち、カメラ１００は、カメラボディ１と該カメラボディ１に対して着脱自在に構成されたレンズユニット２とを有し、レンズユニット２がカメラボディ１に装着された場合に両者が連携して動作するようになっている。また、本実施形態においては、カメラ１００が、後述するワイヤレスフラッシュシステムにおけるマスターフラッシュ装置として機能する。
【００１２】
図１（ａ）及び図１（ｂ）に示すように、カメラボディ１には、内蔵フラッシュ３と、操作部材４ａ〜４ｈと、ファインダーユニット５と、背面ＬＣＤパネル６が設けられている。
【００１３】
内蔵フラッシュ３は、例えばキセノン（Ｘｅ）管で構成される発光部と、該発光部を発光させるための発光回路等から構成されている。この内蔵フラッシュ３は、通常時はカメラボディ１内に収納され、フラッシュ光を発光させる際に、図１（ａ）のようにポップアップされる、ポップアップ式の内蔵フラッシュである。
【００１４】
操作部材４ａ〜４ｈは、ユーザがカメラ１００を操作するための各種の操作部材である。ここで、操作部材４ａはレリーズボタンであり、半押し操作によってオンする１ｓｔレリーズスイッチと全押し操作によってオンする２ｎｄレリーズスイッチの２段スイッチを操作するための操作部材である。１ｓｔレリーズスイッチがオンすることによって自動焦点制御（ＡＦ）や自動露出制御（ＡＥ）等の撮影準備動作が実行される。また、２ｎｄレリーズスイッチがオンすることによって撮影動作が実行される。操作部材４ｂは電子ダイヤルであり、各種の数値を設定変更する場合等に使用される操作部材である。操作部材４ｃは十字ボタンであり、上下左右の４つのボタンと中央のＯＫボタンとで構成されている。十字ボタン４ｃは、カメラのメニューを開いた際の項目の選択や決定に使用される操作部材である。操作部材４ｄはＩＳＯボタンである。ＩＳＯボタン４ｄは、撮影時の撮像素子のＩＳＯ感度を変更するための操作部材である。ＩＳＯボタン４ｄは、電子ダイヤル４ｂと組み合わせて使用されるボタンであり、ＩＳＯボタン４ｄを押しながら電子ダイヤル４ｂを回動させることにより、ＩＳＯ感度の値を設定可能である。操作部材４ｅは露出補正ボタンである。露出補正ボタン４ｅは、電子ダイヤル４ｂと組み合わせて使用されるボタンであり、露出補正ボタン４ｅを押しながら電子ダイヤル４ｂを回動させることにより、露出補正値の設定が可能である。操作部材４ｆはＩＮＦＯボタンである。ＩＮＦＯボタン４ｆの操作により、背面ＬＣＤパネル６の表示形態（詳細は後述する）を選択できる。操作部材４ｇはメニューボタンである。メニューボタン４ｇを押すと背面ＬＣＤパネル６上に各種設定のためのメニュー画面を表示させることができる。操作部材４ｈはパワーボタンである。パワーボタン４ｈの操作により、カメラ１００の電源をオン又はオフさせることができる。
【００１５】
ファインダーユニット５は、被写体を観察するための光学式のファインダーユニットである。このファインダーユニット５は、レンズユニット２内部の光学系を通過した光を、カメラボディ１内に設けられたミラーやペンタプリズム等の光学系を利用してアイピース５ａを介して観察可能なように構成されている。
【００１６】
背面ＬＣＤパネル６は、カメラボディ１の背面に設けられ、撮影画像やライブビュー画像の他、メニュー画面や各種情報及び設定値等を確認するための画面等の各種の画像表示を行う表示部である。
【００１７】
図２は、カメラ１００とともに、本実施形態に係るワイヤレスフラッシュシステムを構成する照明装置（外部フラッシュ装置）の外観図である。この外部フラッシュ装置は、後述するワイヤレスフラッシュシステムにおけるスレーブフラッシュ装置として機能する。
【００１８】
図２に示す外部フラッシュ装置２００は、フラッシュ本体１１を有している。フラッシュ本体１１の下部にはホットシュー１７が設けられており、このホットシュー１７をフラッシュスタンド１２に設けられたホットシュー受け部１８に係合させることにより、フラッシュ本体１１をフラッシュスタンド１２に固定させることが可能である。また、フラッシュ本体１１をカメラ１００のホットシュー受け部に装着することもでき、この場合には、外部フラッシュ装置２００を、内蔵フラッシュ３の代わりのフラッシュ発光用の光源として用いることが可能である。
【００１９】
また、図２に示すように、フラッシュ本体１１には、スレーブセンサー１３と、調光センサー１４と、モードスイッチ１５とが設けられている。さらに、フラッシュ本体１１には、発光ユニット１６が回動可能に取り付けられている。
【００２０】
スレーブセンサー１３は、外部フラッシュ装置２００をスレーブフラッシュ装置として用いたときに、マスターフラッシュ装置であるカメラ１００からの信号フラッシュ光を受光し、受光した信号フラッシュ光を光電変換することにより電気信号を発生させる。
【００２１】
調光センサー１４は、フラッシュ調光用の調光センサーである。後述するワイヤレスフラッシュシステムにおいては、カメラ側のＴＴＬセンサーを用いてそれぞれの外部フラッシュ装置の調光制御を行うＴＴＬ調光と、外部フラッシュ装置側のセンサーを用いてそれぞれの外部フラッシュ装置の調光制御を行うフラッシュ側制御調光の２つの調光制御を行うことができる。調光センサー１４は、フラッシュ側制御調光の際に利用されるセンサーであり、撮影前に被写体に向けてフラッシュ発光を行うプリ発光時の被写体からのフラッシュ光の反射光を受光し、受光した反射光を光電変換することにより電気信号を発生させる。
【００２２】
モードスイッチ１５は、外部フラッシュ装置２００の動作モードを設定するためのスイッチである。この動作モードには、「ＴＴＬ」、「Ｍ」、「ＲＣ」の３つのモードがある。ここで、通常モードである「ＴＴＬ（Through The Lens）」と「Ｍ（Manual）」はフラッシュ本体１１をカメラ１００に装着して利用する場合の動作モードである。なお、「ＴＴＬ」は調光制御をカメラ側のＴＴＬセンサーを用いて行う動作モードであり、「Ｍ」は調光制御を外部フラッシュ装置２００側の調光センサー１４を用いて行う動作モードである。さらに、照明装置制御モードである「ＲＣ（Remote Control）」は、外部フラッシュ装置２００をワイヤレスフラッシュシステムのスレーブフラッシュ装置として用いる場合の動作モードである。
【００２３】
発光ユニット１６は、外部フラッシュ装置２００におけるフラッシュ光の発光部である。この発光ユニット１６にはロック解除ボタン１６ａが設けられている。ロック解除ボタン１６ａが押されている間、発光ユニット１６をフラッシュ本体１１に対して回動させることが可能である。ユーザは、ロック解除ボタン１６ａを押しながら、発光ユニット１６を上下左右方向に回動させることで、発光ユニット１６の向き、即ちフラッシュ光の発光方向を変えることが可能である。
【００２４】
図３は、図１に示すカメラ及び図２に示す外部フラッシュ装置を用いた、本実施形態に係るワイヤレスフラッシュシステムの構成を示す図である。
【００２５】
図３の例では、マスターフラッシュとなるカメラ１００の前方に、被写体ＯＢＪが存在している。さらに、この被写体ＯＢＪに対し、別々のグループに割り当てられた外部フラッシュ装置２００ａ〜２００ｃをスレーブフラッシュ装置として配置している。これら３つの外部フラッシュ装置のうち、外部フラッシュ装置２００ａはグループＡのフラッシュ装置、外部フラッシュ装置２００ｂはグループＢのフラッシュ装置、外部フラッシュ装置２００ｃはグループＣのフラッシュ装置である。これらの外部フラッシュ装置は、何れもモードスイッチ１５が「ＲＣ」に設定されている。
【００２６】
このような構成において、各外部フラッシュ装置はカメラ１００からの信号フラッシュ光に従って発光制御がなされる。ここで、図３の例では、１つのグループに１つの外部フラッシュ装置が属しているが、１つのグループに複数の外部フラッシュ装置を割り当てても良い。この場合、同じグループに属する外部フラッシュ装置は同一の発光制御がなされる。
【００２７】
以下、本実施形態のワイヤレスフラッシュシステムについてさらに説明する。図４は、図１に示すカメラの内部の回路ブロック構成を示す図である。ここで、図１と同一の構成については図１と同一の参照符号を付すことで説明を省略する。
【００２８】
図４に示すように、レンズユニット２は、レンズ駆動制御回路１０１を有している。このレンズ駆動制御回路１０１は、カメラボディ１のボディ駆動制御回路１０４からの指示に基づいてレンズユニット２内部に設けられる、不図示のレンズのフォーカスや絞り等の駆動制御を行う。
【００２９】
また、図４に示すように、カメラボディ１は、フラッシュ制御回路１０２と、クロック回路１０３と、ボディ駆動制御回路１０４と、ＴＴＬ調光回路１０５と、撮像回路１０６と、画像処理回路１０７と、記録媒体１０８とを有している。さらに、ボディ駆動制御回路１０４には、カメラボディ１の外部に露出配置された操作部材４（図１に示す操作部材４ａ〜４ｈ）及び背面ＬＣＤパネル６が接続されている。
【００３０】
フラッシュ制御回路１０２は、ボディ駆動制御回路１０４の制御の下で内蔵フラッシュ３の発光制御を行う。
【００３１】
クロック回路１０３は、例えば水晶発振子を用いたクロック発振回路であり、ボディ駆動制御回路１０４を動作させるためのクロック信号を生成する。一般に、カメラボディ１内では、高精度の時間制御を求められる部分が多いので、クロック回路１０３を、高価ではあるが精度が高い水晶発振回路等で構成することが望ましい。
【００３２】
ボディ駆動制御回路１０４は、クロック回路１０３で生成されたクロック信号に従って動作するデジタル回路である。このボディ駆動制御回路１０４は、操作部材４の操作に対応してカメラボディ１内の各ブロック及びレンズユニット２内のレンズ駆動制御回路１０１の動作を制御する。さらに、本実施形態におけるワイヤレスフラッシュ撮影を実行する際に、ボディ駆動制御回路１０４は、外部フラッシュ装置へのワイヤレスデータ通信のための発光指示をフラッシュ制御回路１０２に対して行う。
【００３３】
ＴＴＬ調光回路１０５は、内蔵フラッシュ３の本発光量を決定するための調光回路である。このＴＴＬ調光回路１０５は、プリ発光（撮影用のフラッシュ発光量を決めるために撮影前に行う少光量の発光）時に、レンズユニット２内の不図示のレンズを通過してくる被写体からのフラッシュ光の反射光を測光する。ＴＴＬ調光回路１０５における測光結果に基づいてボディ駆動制御回路１０４は、内蔵フラッシュ３の本発光量（撮影用のフラッシュ発光量）を決定する。
【００３４】
撮像回路１０６は、撮像素子とその駆動回路等から構成されている。この撮像回路１０６は、レンズユニット２内の不図示のレンズを通過してくる被写体からの光を受光し、受光した反射光を光電変換することにより電気信号（画像信号）を発生させ、さらに該画像信号をデジタル信号（画像データ）に変換して画像処理回路１０７に出力する。
【００３５】
画像処理回路１０７は、画像の撮影時には、撮像回路１０６で得られる画像データをデジタル画像処理し、記録媒体１０８に記録させる。また、画像の再生時に、画像処理回路１０７は、記録媒体１０８に記録された画像データを読み出し、読み出した画像データから背面ＬＣＤパネル６に表示させるためのデータを生成する。
【００３６】
図５は、図２に示す外部フラッシュ装置の内部の回路ブロック構成を示す図である。ここで、図２と同一の構成については図２と同一の参照符号を付すことで説明を省略する。
【００３７】
図５に示すように、フラッシュ本体１１は、フラッシュ制御回路２０２と、クロック回路２０３と、データ検出回路２０４とを有している。さらに、フラッシュ制御回路２０２には、フラッシュ本体１１の外部に露出配置された調光センサー１４及びモードスイッチ１５が接続され、データ検出回路２０４には、スレーブセンサー１３が接続されている。
【００３８】
フラッシュ制御回路２０２は、スレーブセンサー１３や調光センサー１４等のセンサーからの情報やモードスイッチ１５からの操作に従ってフラッシュの発光等の各種制御を行う。
【００３９】
クロック回路２０３は、フラッシュ制御回路２０２のデジタル部を動作させるためのクロック信号を生成する。このクロック信号は、スレーブセンサー１３で受光した信号フラッシュ光のパルス間隔をデータ検出回路２０４において測定するための基準クロック信号としても用いる。なお、外部フラッシュ装置２００ではカメラ１００に比べて高精度の時間制御が必要な機能が少ないため、クロック回路２０３は例えばセラミック振動子等を用いた安価なものを用いても良い。
【００４０】
データ検出回路２０４は、スレーブセンサー１３から出力される信号フラッシュ光のパルス間隔を、クロック回路２０３のクロック信号を用いてカウントし、該カウントデータをカメラ１００からの制御データとしてフラッシュ制御回路２０２に出力する。
【００４１】
また、図５に示すように、発光ユニット１６は、発光回路２０５とフラッシュ発光部２０６とを有している。発光回路２０５は、コンデンサ等から構成されフラッシュ発光部２０６を発光させるためのエネルギーを蓄積するとともに、フラッシュ制御回路２０２からの指示に基づいてフラッシュ発光部２０６を発光させる。フラッシュ発光部２０６は、例えばキセノン（Ｘｅ）管で構成される発光部である。
【００４２】
図６は、マスターフラッシュ装置として働くカメラ１００の背面ＬＣＤパネル６の撮影待機時の画面遷移の様子を示す図である。図６に示す表示は、ＩＮＦＯボタン４ｆを押す毎に切り替えられる。
【００４３】
ＤＳＰ１は通常撮影時の表示である。このＤＳＰ１の表示では、通常の撮影で確認することが多い項目（図６の例では、撮影モード、日付、ＩＳＯ感度、ホワイトバランス設定、フラッシュ設定、画像処理設定、測光モードの設定、測距モードの設定、ＡＦ／ＭＦ（マニュアルフォーカス）の設定、単写／連写の設定、現在の記録媒体１０８の種類、画質モードの設定、残り撮影枚数）についての表示を行う。またこの表示がなされている状態で十字ボタン４ｃにより設定項目を選択及び決定すると、各種項目を表示上で設定変更することが可能である。
【００４４】
ＤＳＰ２は、背面ＬＣＤパネル６の表示をオフした状態である。消費電力をセーブする場合やファインダーを覗く際に背面ＬＣＤパネル６からの光が邪魔になる場合等には表示をオフさせる。
【００４５】
ＤＳＰ３は、ワイヤレスフラッシュ撮影を行う場合の専用の表示である。このＤＳＰ３の表示は、ワイヤレスフラッシュ制御モード（以下、このモードをＲＣモードとする）が不図示のメニュー画面から選択された場合のみ表示される。このＤＳＰ３の表示では、図３に示すグループ毎のスレーブフラッシュの設定（図６の例では、グループ毎の調光モード及びフラッシュ発光量の設定）や高速秒時同調発光（ＦＰ）のオン／オフ、ワイヤレスフラッシュ撮影時に用いる通信チャンネル等の各種の動作条件をマトリックス状に表示でき、またＤＳＰ１と同様に十字ボタン４ｃを用いて、ＤＳＰ３の表示を見ながら各外部フラッシュ装置の動作条件の設定変更を行うことが可能である。
【００４６】
上述したように、ＤＳＰ３の表示は、ＲＣモードが選択された場合のみ、遷移が可能な表示である。ＲＣモードが選択されていない場合にはＤＳＰ３の表示はなされず、ＤＳＰ１とＤＳＰ２のみの遷移となる。また、ＲＣモードが選択されている状態では、ＤＳＰ１、ＤＳＰ２、ＤＳＰ３の何れの状態でもワイヤレスフラッシュ撮影を行うことが可能である。
【００４７】
以下、ワイヤレスフラッシュ撮影について説明する。図７は、図３に示すワイヤレスフラッシュシステムのフラッシュ光による無線通信の形態を示す図である。
【００４８】
本実施形態では、マスターフラッシュ装置であるカメラ１００は１回の撮像について例えば１０回発光する。この１０回の発光のうち、１回目の発光をＳＦＬ１、２回目以後の発光をＳＦＬ２、…、ＳＦＬ１０とする。またＳＦＬ１とＳＦＬ２との発光間隔をＴ（ＤＴ１）とし、以後、順次Ｔ（ＤＴ２）、Ｔ（ＤＴ３）、ＴＭ１、ＴＭ２、Ｔ（ＤＴ４）、Ｔ（ＤＴ５）、Ｔ（ＤＴ６）、ＴＭ３、ＴＭ４とする。本例では、スレーブフラッシュ装置である外部フラッシュ装置はＳＦＬ５に同期してプリ発光を行い、ＳＦＬ１０に同期して本発光を行う。
【００４９】
データ検出回路２０４は、クロック回路２０３のクロック信号を用いて各発光間隔をカウントし、そのカウントデータをカメラ１００からの制御データとしてフラッシュ制御回路２０２に出力する。
【００５０】
Ｔ（ＤＴ１）の期間では通信のチャンネルや高速秒時同調発光のオン／オフ設定等の各グループに共通のデータを送る。続く、Ｔ（ＤＴ２）、Ｔ（ＤＴ３）の期間では各グループの発光モード（ＴＴＬ／ＡＵＴＯ／Ｍ）のデータを送る。それぞれの期間でデータ検出回路２０４によって取り出されるデータＤＴ１、ＤＴ２、ＤＴ３は、それぞれ３ビットデータで構成され、それぞれのデータは５ｍｓのオフセットに、１ビット当たり０.５ｍｓを加えた発光間隔で表現されている。
【００５１】
また、Ｔ（ＤＴ４）、Ｔ（ＤＴ５）、Ｔ（ＤＴ６）の期間では各グループの発光量に対応するデータを送る。それぞれの期間でデータ検出回路２０４によって取り出されるデータＤＴ４、ＤＴ５、ＤＴ６はそれぞれ５ビットデータで構成され、それぞれのデータは５ｍｓのオフセットに、１ビット当たり０.２５ｍｓを加えた発光間隔で表現されている。
【００５２】
このように、本実施形態では、チャンネルや発光モードに対応するデータを、フラッシュ発光量に対応するデータ又は発光量を決定するためのカメラの絞り値やＩＳＯ感度のデータよりも少ないビット数で構成し、且つデータの時間分解能を２倍粗く、言いかえれば時間誤差の許容量を２倍に設定している。
【００５３】
また、何れのデータも、５ｍｓという所定のオフセット時間にそれぞれのデータに対応する時間を加算して構成している。この場合、Ｔ（ＤＴ１）、Ｔ（ＤＴ２）、Ｔ（ＤＴ３）は最短で５ｍｓ（データ０の場合）、最長で８.５ｍｓ（データ７の場合）となる。また、Ｔ（ＤＴ４）、Ｔ（ＤＴ５）、Ｔ（ＤＴ６）は最短で５ｍｓ（データ０の場合）、最長で１２.７５ｍｓ（データ３１の場合）となる。
【００５４】
図８は、図３に示すワイヤレスフラッシュシステムにおいてマスターフラッシュの役割を果たすカメラ１００のＲＣモード時の撮影待機動作について示すフローチャートである。
【００５５】
パワーボタン４ｈによってカメラ１００の電源がオンされる等して図８の動作が開始される。まず、パワーボタン４ｈによってカメラ１００の電源がオンされると撮影待機状態となる（ステップＳ８０１）。この撮影待機状態において、ボディ駆動制御回路１０４はユーザによりメニューボタン４ｇが操作されたかを判定している（ステップＳ８０２）。ステップＳ８０２の判定において、メニューボタン４ｇが操作されるまで撮影待機状態を継続する。
【００５６】
一方、ステップＳ８０２の判定において、メニューボタン４ｇが操作されると、ボディ駆動制御回路１０４は背面ＬＣＤパネル６にメニュー画面を表示させる。以後は、ユーザの十字ボタン４ｃの操作に従ってメニュー画面上での各種設定変更動作を実行する（ステップＳ８０３）。ユーザによるメニュー項目の選択及び設定の変更がなされた際に、ボディ駆動制御回路１０４は、ユーザによってＲＣモードが設定されたかを判定する（ステップＳ８０４）。ステップＳ８０４の判定において、ＲＣモードが設定されていなければ、ボディ駆動制御回路１０４は、メニュー画面を開く前の画面を背面ＬＣＤパネル６に表示させた後（ステップＳ８０６）、撮影待機状態に戻る。一方、ステップＳ８０４の判定において、ＲＣモードが設定された場合に、ボディ駆動制御回路１０４は、図６のＤＳＰ３で示した画面を背面ＬＣＤパネル６に表示させる（ステップＳ８０５）。即ち、ユーザによってＲＣモードが設定されると、ＲＣモードでしか表示できない専用の表示画面が表示される。
【００５７】
図９〜図１２は、カメラ１００のＲＣモードにおける撮影制御の動作について示すフローチャートである。この動作は、ＲＣモードが設定されている際に、レリーズボタン４ａが押されて１ｓｔレリーズスイッチがオンすることにより実行される。
【００５８】
ユーザがレリーズボタン４ａを半押しすると１ｓｔレリーズスイッチがオンする。これをボディ駆動制御回路１０４が検知すると、ボディ駆動制御回路１０４はＡＦ及びＡＥ動作を実行する（ステップＳ９０１）。ＡＦ及びＡＥ動作の終了後、ボディ駆動制御回路１０４はユーザのレリーズボタン４ａの全押しによって２ｎｄレリーズスイッチがオンされたかを判定する（ステップＳ９０２）。ステップＳ９０２の判定において、２ｎｄレリーズスイッチがオンされるまでは待機する。一方、ステップＳ９０２の判定において、２ｎｄレリーズスイッチがオンされた場合に、ボディ駆動制御回路１０４は、撮影前に予め設定されている、各外部フラッシュ装置との通信に用いるチャンネル及び発光モードから、ＤＴ１、ＤＴ２、ＤＴ３の値とこれらの値に対応する時間とを確定する（ステップＳ９０３）。
【００５９】
次に、ボディ駆動制御回路１０４は、フラッシュ制御回路１０２を制御して内蔵フラッシュ３を用いた通信用の発光を開始する。このために、まず、ＳＦＬ１の発光を行う（ステップＳ９０４）。ＳＦＬ１の発光を行った後、ボディ駆動制御回路１０４はＤＴ１に対応した時間であるＴ（ＤＴ１）が経過したか判定し（ステップＳ９０５）、Ｔ（ＤＴ１）が経過するまで待機する。ステップＳ９０５の判定において、Ｔ（ＤＴ１）の経過を確認した後、ボディ駆動制御回路１０４は、次の発光であるＳＦＬ２の発光を行う（ステップＳ９０６）。ＳＦＬ２の発光を行った後、ボディ駆動制御回路１０４はＤＴ２に対応した時間であるＴ（ＤＴ２）が経過したか判定し（ステップＳ９０７）、Ｔ（ＤＴ２）が経過するまで待機する。ステップＳ９０７の判定において、Ｔ（ＤＴ２）の経過を確認した後、ボディ駆動制御回路１０４は、次の発光であるＳＦＬ３の発光を行う（ステップＳ９０８）。ＳＦＬ３の発光を行った後、ボディ駆動制御回路１０４はＤＴ３に対応した時間であるＴ（ＤＴ３）が経過したか判定し（ステップＳ９０９）、Ｔ（ＤＴ３）が経過するまで待機する。ステップＳ９０９の判定において、Ｔ（ＤＴ３）の経過を確認した後、ボディ駆動制御回路１０４は、次の発光であるＳＦＬ４の発光を行う（ステップＳ９１０）。以上で、ＤＴ１、ＤＴ２、ＤＴ３の送信が完了する。
【００６０】
次に、ボディ駆動制御回路１０４はプリ発光指示のためのトリガ発光を行う。即ち、ＳＦＬ４の発光の後、ボディ駆動制御回路１０４は、各外部フラッシュ装置が受信データを判断してプリ発光準備をするのに必要な所定時間Ｔ（ＴＭ１）が経過したかを判定し（ステップＳ９１１）、Ｔ（ＴＭ１）が経過するまで待機する。ステップＳ９１１の判定において、Ｔ（ＴＭ１）の経過を確認した後、ボディ駆動制御回路１０４は、プリ発光のためのトリガ発光であるＳＦＬ５の発光を行う（ステップＳ９１２）。ＳＦＬ５の発光後、各外部フラッシュ装置によってプリ発光が行われる。これを受けて、ボディ駆動制御回路１０４は、ＴＴＬ調光回路１０５により、プリ発光により照明された被写体を測光し（ステップＳ９１３）、該測光結果をもとに、本発光時に各外部フラッシュ装置が発光すべき発光量、又はそれに対応する数値（発光量を演算するための絞り値及び被写体距離）を確定する。さらに、その確定値に従って、各外部フラッシュ装置に送信すべきデータＤＴ４、ＤＴ５、ＤＴ６の値とこの値に対応する時間とを算出する（ステップＳ９１４）。
【００６１】
ＤＴ４、ＤＴ５、ＤＴ６の算出後、ボディ駆動制御回路１０４は、各外部フラッシュ装置が次のデータを受信できるように準備するために必要な所定時間Ｔ（ＴＭ２）が経過したかを判定し（ステップＳ９１５）、Ｔ（ＴＭ２）が経過するまで待機する。ステップＳ９１５の判定において、Ｔ（ＴＭ２）の経過を確認した後、ボディ駆動制御回路１０４は、次のＳＦＬ６の発光を行う（ステップＳ９１６）。このＳＦＬ６の発光により、各外部フラッシュ装置の発光制御のためのデータの送信が開始される。
【００６２】
ＳＦＬ６の発光を行った後、ボディ駆動制御回路１０４はＤＴ４に対応した時間であるＴ（ＤＴ４）が経過したか判定し（ステップＳ９１７）、Ｔ（ＤＴ４）が経過するまで待機する。ステップＳ９１７の判定において、Ｔ（ＤＴ４）の経過を確認した後、ボディ駆動制御回路１０４は、次の発光であるＳＦＬ７の発光を行う（ステップＳ９１８）。ＳＦＬ７の発光を行った後、ボディ駆動制御回路１０４はＤＴ５に対応した時間であるＴ（ＤＴ５）が経過したか判定し（ステップＳ９１９）、Ｔ（ＤＴ５）が経過するまで待機する。ステップＳ９１９の判定において、Ｔ（ＤＴ５）の経過を確認した後、ボディ駆動制御回路１０４は、次の発光であるＳＦＬ８の発光を行う（ステップＳ９２０）。ＳＦＬ８の発光を行った後、ボディ駆動制御回路１０４はＤＴ６に対応した時間であるＴ（ＤＴ６）が経過したか判定し（ステップＳ９２１）、Ｔ（ＤＴ６）が経過するまで待機する。ステップＳ９２１の判定において、Ｔ（ＤＴ６）の経過を確認した後、ボディ駆動制御回路１０４は、データ送信の終了を示す発光であるＳＦＬ９の発光を行う（ステップＳ９２２）。
【００６３】
以上で各外部フラッシュ装置へのデータ送信を終了したので、以後は撮影動作を実行する。ＳＦＬ９の発光の後、ボディ駆動制御回路１０４は、不図示のクイックリターンミラーのミラーアップを開始し（ステップＳ９２３）、ミラーアップが完了すると不図示のフォーカルプレーンシャッターの先幕の走行を開始させる（ステップＳ９２４）。先幕の走行を開始させた後、ボディ駆動制御回路１０４は、先幕の走行が完了したかを判定し（ステップＳ９２５）、先幕の走行が完了するまで待機する。ステップＳ９２５の判定において、先幕の走行が完了すると、ボディ駆動制御回路１０４は、本発光のためのトリガ発光となる発光であるＳＦＬ１０の発光を行う（ステップＳ９２６）。このＳＦＬ１０の発光に同期して、各外部フラッシュ装置は本発光を実施することになる。
【００６４】
ＳＦＬ１０の発光の後、ボディ駆動制御回路１０４は、フォーカルプレーンシャッターの後幕の走行を開始させる（ステップＳ９２７）。後幕の走行を開始させた後、ボディ駆動制御回路１０４は、後幕の走行が完了したかを判定し（ステップＳ９２８）、先幕の走行が完了するまで待機する。ステップＳ９２８の判定において、後幕の走行が完了すると、ボディ駆動制御回路１０４は、撮影が終了したと判断する。そして、ボディ駆動制御回路１０４は、画像処理回路１０７により撮像回路１０６から画像データを読み出し（ステップＳ９２９）、画像処理回路１０７においてデジタル画像処理を実行させる（ステップＳ９３０）。画像処理の終了後、ボディ駆動制御回路１０４は、画像処理後の画像データを記録媒体１０８に書き込む（ステップＳ９３１）。これにより、ワイヤレスフラッシュ撮影動作が終了する。
【００６５】
図１３〜図１７は、外部フラッシュ装置のＲＣモード時の動作について示すフローチャートである。なお、図１３〜図１７の動作は、各外部フラッシュ装置のモードスイッチ１５が「ＲＣ」に設定された場合に実行される。
【００６６】
モードスイッチ１５が「ＲＣ」に設定されると、フラッシュ制御回路２０２は、スレーブセンサー１３をオンさせて（ステップＳ１００１）、スレーブセンサー１３からの信号待ち状態になる（ステップＳ１００２）。ステップＳ１００２の判定において、スレーブセンサー１３からの信号を検出した場合、言い換えればカメラ１００からの信号フラッシュ光を検出した場合に、フラッシュ制御回路２０２はＳＦＬ１の受光を認識し、データ検出回路２０４内部のタイマをリセット及びスタートさせる（ステップＳ１００３）。
【００６７】
タイマのカウントスタート後、フラッシュ制御回路２０２は、スレーブセンサー１３からの次の信号（即ちＳＦＬ２）待ちの状態になる（ステップＳ１００４）。ステップＳ１００４の判定において、スレーブセンサー１３からの信号を検出した場合に、フラッシュ制御回路２０２はＳＦＬ２の受光を認識し、データ検出回路２０４内部のタイマの値を読み出す（ステップＳ１００５）。引き続いて、フラッシュ制御回路２０２は、データ検出回路２０４内部のタイマをリセット及びスタートさせる（ステップＳ１００６）。その後、フラッシュ制御回路２０２は、データ検出回路２０４から読み出したタイマの値から時間とデータの対応テーブル又は対応式により、ＤＴ１の値を算出する（ステップＳ１００７）。
【００６８】
ＤＴ１の算出が終了すると、フラッシュ制御回路２０２は、スレーブセンサー１３からの次の信号（即ちＳＦＬ３）待ちの状態になる（ステップＳ１００８）。ステップＳ１００８の判定において、スレーブセンサー１３からの信号を検出した場合に、フラッシュ制御回路２０２はＳＦＬ３の受光を認識し、データ検出回路２０４内部のタイマの値を読み出す（ステップＳ１００９）。引き続いて、フラッシュ制御回路２０２は、データ検出回路２０４内部のタイマをリセット及びスタートさせる（ステップＳ１０１０）。その後、フラッシュ制御回路２０２は、データ検出回路２０４から読み出したタイマの値から時間とデータの対応テーブル又は対応式により、ＤＴ２の値を算出する（ステップＳ１０１１）。ＤＴ２の算出が終了すると、フラッシュ制御回路２０２は、スレーブセンサー１３からの次の信号（即ちＳＦＬ４）待ちの状態になる（ステップＳ１０１２）。ステップＳ１０１２の判定において、スレーブセンサー１３からの信号を検出した場合に、フラッシュ制御回路２０２はＳＦＬ４の受光を認識し、データ検出回路２０４内部のタイマの値を読み出す（ステップＳ１０１３）。引き続いて、フラッシュ制御回路２０２は、データ検出回路２０４内部のタイマをリセット及びスタートさせる（ステップＳ１０１４）。その後、フラッシュ制御回路２０２は、データ検出回路２０４から読み出したタイマの値から時間とデータの対応テーブル又は対応式により、ＤＴ３の値を算出する（ステップＳ１０１５）。以上で、各外部フラッシュ装置は、カメラ１００が送信したチャンネルとグループ毎の発光モードのデータの受信を完了する。
【００６９】
ＤＴ３の算出が終了すると、フラッシュ制御回路２０２は、スレーブセンサー１３からの次の信号（即ちＳＦＬ５）待ちの状態になる（ステップＳ１０１６）。ステップＳ１０１６の判定において、スレーブセンサー１３からの信号を検出した場合に、フラッシュ制御回路２０２はＳＦＬ５の受光を認識する。この場合、フラッシュ制御回路２０２は、カメラ１００からのプリ発光のトリガ信号と認識するので、直ちにタイマをリセット及びスタートさせ（ステップＳ１０１７）、その後にプリ発光を実行する（ステップＳ１０１８）。なお、プリ発光時の発光光量は、ある値に予め固定されているものとする。
【００７０】
プリ発光の後、フラッシュ制御回路２０２は、次の信号（即ちＳＦＬ６）待ちの状態になる（ステップＳ１０１９）。このＳＦＬ６はＤＴ４以降のデータの送信開始を示す発光となる。ステップＳ１０１９の判定において、スレーブセンサー１３からの信号を検出した場合に、フラッシュ制御回路２０２はＳＦＬ６の受光を認識し、データ検出回路２０４内部のタイマをリセット及びスタートさせる（ステップＳ１０２０）。その後、フラッシュ制御回路２０２は、次の信号（即ちＳＦＬ７）待ちの状態になる（ステップＳ１０２１）。ステップＳ１０２１の判定において、スレーブセンサー１３からの信号を検出した場合に、フラッシュ制御回路２０２はＳＦＬ７の受光を認識し、データ検出回路２０４内部のタイマの値を読み出す（ステップＳ１０２２）。引き続いて、フラッシュ制御回路２０２は、データ検出回路２０４内部のタイマをリセット及びスタートさせる（ステップＳ１０２３）。その後、フラッシュ制御回路２０２は、データ検出回路２０４から読み出したタイマの値から時間とデータの対応テーブル又は対応式により、ＤＴ４の値を算出する（ステップＳ１０２４）。ＤＴ４の算出が終了すると、フラッシュ制御回路２０２は、スレーブセンサー１３からの次の信号（即ちＳＦＬ８）待ちの状態になる（ステップＳ１０２５）。ステップＳ１０２５の判定において、スレーブセンサー１３からの信号を検出した場合に、フラッシュ制御回路２０２はＳＦＬ８の受光を認識し、データ検出回路２０４内部のタイマの値を読み出す（ステップＳ１０２６）。引き続いて、フラッシュ制御回路２０２は、データ検出回路２０４内部のタイマをリセット及びスタートさせる（ステップＳ１０２７）。その後、フラッシュ制御回路２０２は、データ検出回路２０４から読み出したタイマの値から時間とデータの対応テーブル又は対応式により、ＤＴ５の値を算出する（ステップＳ１０２８）。ＤＴ５の算出が終了すると、フラッシュ制御回路２０２は、スレーブセンサー１３からの次の信号（即ちＳＦＬ９）待ちの状態になる（ステップＳ１０２９）。ステップＳ１０２９の判定において、スレーブセンサー１３からの信号を検出した場合に、フラッシュ制御回路２０２はＳＦＬ９の受光を認識し、データ検出回路２０４内部のタイマの値を読み出す（ステップＳ１０３０）。引き続いて、フラッシュ制御回路２０２は、データ検出回路２０４内部のタイマをリセット及びスタートさせる（ステップＳ１０３１）。その後、フラッシュ制御回路２０２は、データ検出回路２０４から読み出したタイマの値から時間とデータの対応テーブル又は対応式により、ＤＴ６の値を算出する（ステップＳ１０３２）。以上で各外部フラッシュ装置は全てのデータを受信したので、フラッシュ制御回路２０２は、受信した各データのうち、自身に設定されているチャンネル及びグループに対応したデータを採用して本発光時の発光量又はそれに対応するデータを確定する（ステップＳ１０３３）。
【００７１】
本発光時の発光量を確定した後、フラッシュ制御回路２０２は、スレーブセンサー１３からの次の信号（即ちＳＦＬ１０）待ちの状態になる（ステップＳ１０３４）。ステップＳ１０３４の判定において、スレーブセンサー１３からの信号を検出した場合に、フラッシュ制御回路２０２は本発光を実行する（ステップＳ１０３５）。これにより、ワイヤレスフラッシュ撮影動作が終了する。
【００７２】
図１８は、上述したようなワイヤレスフラッシュ撮影時における背面ＬＣＤパネル６の表示動作について示すフローチャートである。また、図１９は、図１８の動作に従う画面遷移の様子を示す図である。
【００７３】
まず、カメラ１００のメニュー画面上でＲＣモードが選択された直後等の撮影待機状態において、ボディ駆動制御回路１０４は、背面ＬＣＤパネル６に、図１９に示すようにしてＤＳＰ３の画面を表示させる（ステップＳ１１０１）。この撮影待機状態ではＩＮＦＯボタン４ｆを押す毎に図６に示したようにして画面が遷移する。
【００７４】
ＲＣモードの撮影待機状態においてボディ駆動制御回路１０４は、ユーザによるレリーズボタン４ａの半押し操作によって１ｓｔレリーズスイッチがオンされたかを判定しており（ステップＳ１１０２）、１ｓｔレリーズスイッチがオンされた場合には図９〜図１２に示すようなワイヤレスフラッシュ撮影の動作を実行する（ステップＳ１１０３）。ワイヤレスフラッシュ撮影の終了後、ボディ駆動制御回路１０４は、図１９に示すようにして、撮影により得られた画像を背面ＬＣＤパネル６に全画面表示させる（ステップＳ１１０４）。以下、このような最新の撮影済み画像を背面ＬＣＤパネル６に全画面表示させる表示形態を撮影結果確認画像表示１とする。
【００７５】
撮影結果確認画像表示１を行った後、ボディ駆動制御回路１０４は、１ｓｔレリーズスイッチが再びオンされたかを判定する（ステップＳ１１０５）。ステップＳ１１０５の判定において、１ｓｔレリーズスイッチがオンされた場合には、直ちに撮影動作に移行するためにステップＳ１１０３に戻る。
【００７６】
一方、ステップＳ１１０５の判定において、１ｓｔレリーズスイッチがオンされていない場合に、ボディ駆動制御回路１０４は、十字ボタン４ｃのＯＫボタンが操作されたかを判定する（ステップＳ１１０６）。ステップＳ１１０６の判定において、ＯＫボタンが操作された場合に、ボディ駆動制御回路１０４は、撮影結果確認画像表示１を中止して、図１９に示すＤＳＰ３の画面を表示させる（ステップＳ１１０７）。即ち、撮影結果確認画像表示１の実行中でも、所定操作で直ちにワイヤレスフラッシュ撮影の各種設定を行うための表示画面を表示させることが可能である。
【００７７】
また、ステップＳ１１０６の判定において、ＯＫボタンが操作されていない場合に、ボディ駆動制御回路１０４は、所定時間（例えば２秒）が経過したかを判定する（ステップＳ１１０８）。ステップＳ１１０８の判定において、所定時間が経過していない場合にはステップＳ１１０５に戻る。一方、ステップＳ１１０８の判定において、所定時間が経過した時点で、ボディ駆動制御回路１０４は、撮影結果確認画像表示１を中止して背面ＬＣＤパネル６に図１９に示すＤＳＰ３の画面を表示させる。
【００７８】
以上説明したように、第１の実施形態によれば、テスト撮影をしながら各外部フラッシュ装置の動作条件を設定するための設定値を最適化して画像の最適表現を実現するワイヤレスフラッシュ撮影において、最新の撮影済み画像の表示画面とワイヤレスフラッシュ撮影における各種設定を行うための画面とを交互に且つ瞬時に切り替え可能であり、これによって設定値を短い時間内で最適に合わせ込むことが可能である。
【００７９】
また、ワイヤレスフラッシュ撮影を実施すると、自動的に撮影結果の確認画像が表示され、その後は所定時間で自動的にワイヤレスフラッシュ制御の設定変更画面に移行するので、表示画面の切替操作を必ずしもユーザが行う必要がない。これにより、ユーザは、撮影や撮影画像の確認、及びワイヤレスフラッシュ撮影に係る各種の設定に専念することができる。
【００８０】
また、撮影結果確認画像表示１として、撮影結果を背面ＬＣＤパネル６の全画面に表示させているので、撮影画像の全体を撮影画像の全体を素早く且つ詳細に確認することが可能である。
【００８１】
［第２の実施形態］
次に、本発明の第２の実施形態について説明する。第２の実施形態は、撮影結果確認画面の表示形態が第１の実施形態と異なっている。即ち、第２の実施形態では、ワイヤレスフラッシュ撮影の設定が変更された場合には、第１の実施形態で説明した撮影結果確認画像表示１に代えて、設定変更前の画像と設定変更後の画像の２枚の画像を同一画面上に表示させる撮影結果確認画像表示２を行う点が第１の実施形態と異なっている。
【００８２】
なお、カメラ１００や外部フラッシュ装置２００の構成及びワイヤレスフラッシュ撮影の動作については第１の実施形態と同様であるので説明を省略する。
【００８３】
図２０は、第２の実施形態のワイヤレスフラッシュ撮影時における背面ＬＣＤパネル６の表示動作について示すフローチャートである。また、図２１は、第２の実施形態において行われる撮影結果確認画像表示２を示す図である。
【００８４】
ここで、図２０において、図１８と同一の動作については図１８と同様の参照符号を付すことにより説明を省略し、図１８と異なる部分のみ説明する。図２０において、撮影待機状態から１ｓｔレリーズスイッチがオンされると、カメラ１００のボディ駆動制御回路１０４は、ワイヤレスフラッシュ撮影を行う。ワイヤレスフラッシュ撮影の後、ボディ駆動制御回路１０４は、ワイヤレスフラッシュ撮影の設定変更がなされた後の撮影であったかを判定する（ステップＳ１３０１）。なお、初回の撮影については設定変更がなされていない撮影とする。
【００８５】
ステップＳ１３０１の判定において、設定変更がなされた後の撮影でない場合に、ボディ駆動制御回路１０４は、図１９に示すような最新の撮影済み画像を表示させる撮影結果確認画像表示１を行う（ステップＳ１１０４）。一方、ステップＳ１３０１の判定において、設定変更がなされた後の撮影である場合に、ボディ駆動制御回路１０４は、図２１に示すような撮影結果確認画像表示２を行う（ステップＳ１３０２）。撮影結果確認画像表示２は、設定変更をしながら撮影していく場合の画像表示であり、例えば、設定変更前の画像を左上に縮小表示し、今撮影した画像を大きく表示する。これにより、ワイヤレスフラッシュ撮影の設定を変更して撮影を行った場合に、前の画像との明るさや影の出方の違い等を確認して設定変更の効果を把握することができる。
【００８６】
ここで、ステップＳ１３０２において、設定変更前後の画像を同時表示した後、設定変更なく再撮影が行われた場合には、ステップＳ１３０１をステップＳ１１０４に分岐して撮影結果確認画像表示１が行われる。
【００８７】
以上説明したように、第２の実施形態によれば、設定変更をした後の撮影においては、設定変更前の画像と設定変更後の画像とを同一画面上にて確認できるので、ワイヤレスフラッシュ撮影の設定変更の効果確認が容易である。
【００８８】
また、設定変更を実施した場合にのみ設定前後の画像の同時表示がされるので、設定変更を実施していない場合にはそのとき撮影した画像を全画面で詳細に確認でき、撮影前の操作に対応して最適な撮影確認画面を見ることができる。
【００８９】
なお、第２の実施形態の変形例として、撮影結果確認画像表示１と撮影結果確認画像表示２との切り替えを自動切り替えとせずにユーザの好みで何れかに固定できるようにしても良い。そのようにすると、設定変更の有無によって撮影結果確認画像の表示形態が変わらないので、撮影結果確認画像の表示形態を変更したくないユーザにとっては好適である。
【００９０】
［第３の実施形態］
次に、本発明の第３の実施形態について説明する。第３の実施形態は、ワイヤレスフラッシュ撮影における外部フラッシュ装置２００の動作条件の設定変更画面の表示形態が第１及び第２の実施形態と異なっている。即ち、第３の実施形態では、ワイヤレスフラッシュ撮影の設定変更があった場合には動作条件の設定変更画面上に、設定変更前の画像と設定変更後の画像とを合わせて表示させ、またそのとき変更された数値を表示させるようにしている。
【００９１】
なお、カメラ１００や外部フラッシュ装置２００の構成及びワイヤレスフラッシュ撮影の動作については第１の実施形態と同様であるので説明を省略する。
【００９２】
図２２は、第３の実施形態のワイヤレスフラッシュ撮影時における背面ＬＣＤパネル６の表示動作について示すフローチャートである。また、図２３は、図２２の動作に伴う画面遷移を示す図である。
【００９３】
図２２においては、図１８と異なる部分のみを説明する。カメラ１００のメニュー画面上でＲＣモードが選択された直後等の撮影待機状態において、ボディ駆動制御回路１０４は、背面ＬＣＤパネル６に、図２３に示すＤＳＰ３又はＤＳＰ３Ａの画面を表示させる（ステップＳ１５０１）。ここで、ＲＣモードが選択された直後は、画像が取得されていないのでＤＳＰ３の画面を表示させる。
【００９４】
その後、ワイヤレスフラッシュ撮影が行われ画像が取得されると、ボディ駆動制御回路１０４は、撮影結果確認画像表示１を行う。その後、ステップＳ１１０６の判定においてＯＫボタンが押された場合又はステップＳ１１０８の判定において所定時間（例えば２秒）が経過した場合に、ボディ駆動制御回路１０４は、今回の撮影画像が設定変更後に取得されたものかを判定する（ステップＳ１５０２）。ステップＳ１５０２の判定において、設定変更がなかった場合にはＤＳＰ３の画面を表示させた後（ステップＳ１５０３）、ステップＳ１５０１に戻って撮影待機状態となる。一方、ステップＳ１５０２の判定において、設定変更があった場合には図２３に示すＤＳＰ３Ａの画面を表示させた後（ステップＳ１５０４）、ステップＳ１５０１に戻って撮影待機状態となる。
【００９５】
本実施形態においては、ワイヤレスフラッシュ撮影を実施した場合、撮影結果確認画像表示１を行った後、そのときの撮影が設定変更後の撮影の場合のみ、ＯＫボタンの操作や所定時間の経過を受けて、撮影画像と動作条件の設定変更画面とを同一画面上に表示させる。また、この際、ＤＳＰ３Ａでは設定を変更した後の数値がどの項目であるかという表示を例えば参照符号３０１のようにして行うとともに、設定変更前後の設定値を例えば参照符号３０２に示すようにして表示させる。
【００９６】
以上説明したように、第３の実施形態によれば、ワイヤレスフラッシュ撮影の設定変更があった場合には動作条件の設定変更画面上に、設定変更前の画像と設定変更後の画像とを合わせて表示させ、またそのとき変更された数値も表示させるようにしているので、次回の撮影に向けての数値の再設定を容易となる。
【００９７】
なお、第３の実施形態の変形例として、ＤＳＰ３とＤＳＰ３Ａと自動切り替えとせずにユーザの好みで何れかに固定できるようにしても良い。そのようにすると、設定変更の有無によって動作条件の設定変更画面の表示形態が変わらないので、動作条件の設定変更画面の形態を変更したくないユーザにとっては好適である。
【００９８】
［第４の実施形態］
次に、本発明の第４の実施形態について説明する。第４の実施形態は、背面ＬＣＤパネル６の表示形態に応じてＲＣモードのオン/オフを自動的に設定する点が第１の実施形態と異なっている。
【００９９】
なお、カメラ１００や外部フラッシュ装置２００の構成及びワイヤレスフラッシュ撮影の動作については第１の実施形態と同様であるので説明を省略する。
【０１００】
図２４は、第４の実施形態における撮影待機時のカメラ１００の背面ＬＣＤパネル６の画面遷移の様子を示す図である。図２４に示すように、第４の実施形態では、第１の実施形態と同様にＤＳＰ１、ＤＳＰ２、ＤＳＰ３の各表示がＩＮＦＯボタン４ｆを押す毎に切り替わる。そして、ＤＳＰ３への切り替わりに応じてＲＣモードの設定がなされる。
【０１０１】
以上の第４の実施形態によれば、背面ＬＣＤパネル６の表示形態によってＲＣモードのオン/オフ設定が切り替わるので、ＲＣモードのオン/オフを頻繁に切り替えるユーザにとって便利である。
【０１０２】
［第５の実施形態］
次に、本発明の第５の実施形態について説明する。第５の実施形態は、内蔵フラッシュ３ではなく、外部フラッシュ装置をマスターフラッシュ装置の光源として用いる点が上述した各実施形態と異なっている。
【０１０３】
図２５は、第５の実施形態において、マスターフラッシュ装置の光源となる外部フラッシュ装置の内部の回路ブロック構成を示す図である。図２５に示す外部フラッシュ装置４００も、図５に示す外部フラッシュ装置２００と同様に、フラッシュ本体１１と発光ユニット１６とを有している。外部フラッシュ装置４００のフラッシュ本体１１は、フラッシュ制御回路２０２と、クロック回路２０３とを有している。さらに、フラッシュ制御回路２０２にはフラッシュ本体１１の外部に露出配置された背面ＬＣＤパネル１８及び操作部材１９が接続されている。また、発光ユニット１６は、発光回路２０５とフラッシュ発光部２０６とを有している。
【０１０４】
ここで、図２５において、図５と同一の構成については図５と同一の参照符号を付すことで説明を省略し、図５と異なる部分のみについて説明する。背面ＬＣＤパネル１８は、フラッシュ本体１１の背面に設けられ、フラッシュ撮影に係る各種情報及び設定値等を確認するための画面等の各種の画像表示を行う表示部である。操作部材１９は、電源スイッチや十字ボタン等のユーザが外部フラッシュ装置４００を操作するための各種の操作部材である。
【０１０５】
第５の実施形態においては、図２６に示すようにして、外部フラッシュ装置４００のフラッシュ本体１１の下部に設けられたホットシュー１７とカメラ１００の上部に設けられたホットシュー受け部７とを係合させることで、カメラ１００に外部フラッシュ装置４００を装着することができ、これによってカメラ１００のボディ駆動制御回路１０４と外部フラッシュ装置４００のフラッシュ制御回路２０２とが通信自在に接続される。
【０１０６】
ここで、第５の実施形態においては、データ転送のための信号フラッシュ光の時間制御は、クロック回路２０３において生成されるクロック信号をフラッシュ制御回路２０２においてカウントすることで行う。このＳＦＬ１〜ＳＦＬ１０の各信号フラッシュ光の発光は、カメラ１００のボディ駆動制御回路１０４からの指示に従って行う。
【０１０７】
また、第５の実施形態においては、ＲＣモードに設定された外部フラッシュ装置４００がカメラ１００に装着され、外部フラッシュ装置４００の電源がオンされると、カメラ１００の動作モードも強制的にＲＣモードに移行する。このときのワイヤレスフラッシュ撮影の設定は図２７のようにして外部フラッシュ装置４００の背面ＬＣＤパネル１８上に表示される設定変更画面上で行うため、図２８に示すように、カメラ１００の背面ＬＣＤパネル６には、ＲＣモードであってもＤＳＰ３の表示はなされず、ＩＮＦＯボタン４ｆを押す毎にＤＳＰ１とＤＳＰ２の切り替えになる。ただし、現在、カメラの動作モードがＲＣモードに設定されていることをユーザに示すために、ＤＳＰ１の表示時には例えば参照符号５０１で示すようなＲＣマークを表示させる。
【０１０８】
なお、ワイヤレスフラッシュ撮影がなされた後の撮影結果確認画像表示は、カメラ１００の背面ＬＣＤパネル６に行われる。
【０１０９】
以上説明したように、第５の実施形態によれば、カメラ１００に装着された外部フラッシュ装置４００に、外部フラッシュ装置２００の動作条件の設定変更画面を表示できる。これにより、外部フラッシュ装置４００に動作条件の設定変更画面を表示させ、カメラ１００においてＤＳＰ１等のその他の設定変更画面を表示させて、これらの両方を見ながら撮影できる。
【０１１０】
また、ＲＣモードを使用する場合には外部フラッシュ装置４００をカメラ１００に装着しさえすれば良く、ＲＣモードをカメラ１００のメニュー画面から選択する必要がないのでＲＣモードと非ＲＣモードとを使い分ける場合に便利である。
【０１１１】
ここで、図２５に示す外部フラッシュ装置４００には電池が示されていないが、電池を内蔵させるようにしても良い。外部フラッシュ装置４００に電池を内蔵させることにより、フラッシュ発光のための電源を外部フラッシュ装置４００内で供給できるため、カメラ１００側の電池消耗を抑えることができる。
【０１１２】
［第６の実施形態］
次に、本発明の第６の実施形態について説明する。第６の実施形態は、第５の実施形態の変形例であり、外部フラッシュ装置４００側ではなくカメラ側でワイヤレスフラッシュ撮影の設定を行う点が異なっている。
【０１１３】
図２９は、第６の実施形態におけるマスターフラッシュ装置の光源となる外部フラッシュ装置の内部の回路ブロック構成を示す図である。図２９に示す外部フラッシュ装置４００フラッシュ本体１１は、フラッシュ制御回路２０２を有している。さらに、フラッシュ制御回路２０２にはフラッシュ本体１１の外部に露出配置された電源スイッチ２０が接続されている。また、発光ユニット１６は、発光回路２０５とフラッシュ発光部２０６とを有している。ここで、図２９において図２５と異なる部分のみについて説明する。電源スイッチ２０は、図３０に示すようにして、例えば外部フラッシュ装置４００の背面に設けられ、当該外部フラッシュ装置４００の電源のオン/オフを切り替えるためのスイッチである。
【０１１４】
第６の実施形態においても、図２６に示すようにして、外部フラッシュ装置４００のフラッシュ本体１１の下部に設けられたホットシュー１７とカメラ１００の上部に設けられたホットシュー受け部７とを係合させることで、カメラ１００に外部フラッシュ装置４００を装着することができ、これによってカメラ１００のボディ駆動制御回路１０４と外部フラッシュ装置４００のフラッシュ制御回路２０２とが通信自在に接続される。
【０１１５】
ここで、第６の実施形態においては、データ転送のための信号フラッシュ光の時間制御を外部フラッシュ装置４００側では行わず、カメラ１００内のクロック回路１０３において生成されるクロック信号をボディ駆動制御回路１０４においてカウントすることで行う。
【０１１６】
また、第６の実施形態においては、動作条件の設定変更画面の表示をカメラ１００側で行うため、外部フラッシュ装置４００が背面ＬＣＤパネル１８を有していなくとも良い。
【０１１７】
本実施形態の外部フラッシュ装置４００をカメラ１００に装着しで電源をオンすると、カメラ１００がＲＣモードに設定される。このときの表示形態は図３１に示すように、第１の実施形態の図６で示した表示形態とほぼ同様である。ただし、外部フラッシュ装置４００の装着によってカメラの動作モードがＲＣモードに設定されたことをユーザに示すために、ＤＳＰ１及びＤＳＰ３の表示時には例えば参照符号６０１及び６０２で示すようなＲＣマークを表示させる。
【０１１８】
以上説明したように、第６の実施形態によれば、第５の実施形態と同様に、ＲＣモードを使用する場合には、外部フラッシュ装置４００をカメラ１００に装着しさえすれば良く、ＲＣモードをカメラ１００のメニュー画面から選択する必要がないのでＲＣモードと非ＲＣモードとを使い分ける場合に便利である。また、外部フラッシュ装置４００に背面ＬＣＤパネル１８等が必要ないので、第５の実施形態に比べて小型で安価なマスターフラッシュ装置を構成できる。
【０１１９】
ここで、図２９に示す外部フラッシュ装置４００には電池が示されていないが、電池を内蔵させるようにしても良い。外部フラッシュ装置４００に電池を内蔵させることにより、フラッシュ発光のための電源を外部フラッシュ装置４００内で供給できるため、カメラ１００側の電池消耗を抑えることができる。
【０１２０】
以上実施形態に基づいて本発明を説明したが、本発明は上述した実施形態に限定されるものではなく、本発明の要旨の範囲内で種々の変形や応用が可能なことは勿論である。
【０１２１】
例えば、ワイヤレスフラッシュ撮影における外部フラッシュ装置２００の動作条件の設定変更画面は、ＩＮＦＯボタン４ｆによって切り替えられる画面の他、メニュー画面内にある類似の画面を用いても良い。この場合には、撮影後に自動でメニュー画面内の動作条件の設定変更画面に移行するようにしても良いし、所定操作でその画面に瞬時に移行できるようにしても良い。またマスターフラッシュ装置とスレーブフラッシュ装置の通信手段はキセノン管の閃光発光を利用したフラッシュ装置に限るものではない。例えば、ＬＥＤ等を用いても良い。
【０１２２】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【０１２３】
【図１】本発明の第１の実施形態に係るカメラの外観図である。
【図２】本発明の第１の実施形態に係る外部フラッシュ装置の外観図である。
【図３】本発明の第１の実施形態に係るワイヤレスフラッシュシステムの構成を示す図である。
【図４】カメラの内部の回路ブロック構成を示す図である。
【図５】外部フラッシュ装置の内部の回路ブロック構成を示す図である。
【図６】マスターフラッシュ装置として働くカメラの背面ＬＣＤパネルの撮影待機時の画面遷移の様子を示す図である。
【図７】ワイヤレスフラッシュシステムのフラッシュ光による無線通信の形態を示す図である。
【図８】カメラのＲＣモード時の撮影待機動作について示すフローチャートである。
【図９】カメラのＲＣモードにおける撮影制御の動作について示すフローチャートの第１図である。
【図１０】カメラのＲＣモードにおける撮影制御の動作について示すフローチャートの第２図である。
【図１１】カメラのＲＣモードにおける撮影制御の動作について示すフローチャートの第３図である。
【図１２】カメラのＲＣモードにおける撮影制御の動作について示すフローチャートの第４図である。
【図１３】外部フラッシュ装置のＲＣモード時の動作について示すフローチャートの第１図である。
【図１４】外部フラッシュ装置のＲＣモード時の動作について示すフローチャートの第２図である。
【図１５】外部フラッシュ装置のＲＣモード時の動作について示すフローチャートの第３図である。
【図１６】外部フラッシュ装置のＲＣモード時の動作について示すフローチャートの第４図である。
【図１７】外部フラッシュ装置のＲＣモード時の動作について示すフローチャートの第５図である。
【図１８】第１の実施形態のワイヤレスフラッシュ撮影時におけるカメラの背面ＬＣＤパネルの表示動作について示すフローチャートである。
【図１９】図１８の動作に従うカメラの背面ＬＣＤパネルの画面遷移の様子を示す図である。
【図２０】第２の実施形態のワイヤレスフラッシュ撮影時におけるカメラの背面ＬＣＤパネルの表示動作について示すフローチャートである。
【図２１】第２の実施形態において行われる撮影結果確認画像表示２を示す図である。
【図２２】第３の実施形態のワイヤレスフラッシュ撮影時におけるカメラの背面ＬＣＤパネルの表示動作について示すフローチャートである。
【図２３】図２２の動作に伴うカメラの背面ＬＣＤパネルの画面遷移の様子を示す図である。
【図２４】第４の実施形態における撮影待機時のカメラの背面ＬＣＤパネルの画面遷移の様子を示す図である。
【図２５】第５の実施形態における外部フラッシュ装置の内部の回路ブロック構成を示す図である。
【図２６】第５の実施形態においてマスターフラッシュ装置となる外部フラッシュ装置をカメラに装着して用いたときの様子を示す図である。
【図２７】第５の実施形態における撮影待機時のカメラの背面ＬＣＤパネルの画面遷移の様子を示す図である。
【図２８】第５の実施形態における撮影待機時に外部フラッシュ装置の背面ＬＣＤパネルに表示される画面について示した図である。
【図２９】第６の実施形態における外部フラッシュ装置の内部の回路ブロック構成を示す図である。
【図３０】外部フラッシュ装置に設けられる電源スイッチについて示した図である。
【図３１】第６の実施形態におけるカメラの背面ＬＣＤパネルの撮影待機時の画面遷移の様子を示す図である。
【符号の説明】
【０１２４】
１、カメラボディ、２…レンズユニット、３…内蔵フラッシュ、４ａ〜４ｈ，１９…操作部材、５…ファインダーユニット、６，１８…背面ＬＣＤパネル、１１…フラッシュ本体、１２…フラッシュスタンド、１３…スレーブセンサー、１４…調光センサー、１５…モードスイッチ、１６…発光ユニット、１７…ホットシュー、２０…電源スイッチ、１００…カメラ、１０１…レンズ駆動制御回路、１０２…フラッシュ制御回路、１０３，２０３…クロック回路、１０４…ボディ駆動制御回路、１０５…ＴＴＬ調光回路、１０６…撮像回路、１０７…画像処理回路、１０８…記録媒体、２００，４００…外部フラッシュ装置、２０２…フラッシュ制御回路、２０４…データ検出回路、２０５…発光回路、２０６…フラッシュ発光部
【図１】
2009098297.tif 000003
【図２】
2009098297.tif 000004
【図３】
2009098297.tif 000005
【図４】
2009098297.tif 000006
【図５】
2009098297.tif 000007
【図６】
2009098297.tif 000008
【図７】
2009098297.tif 000009
【図８】
2009098297.tif 000010
【図９】
2009098297.tif 000011
【図１０】
2009098297.tif 000012
【図１１】
2009098297.tif 000013
【図１２】
2009098297.tif 000014
【図１３】
2009098297.tif 000015
【図１４】
2009098297.tif 000016
【図１５】
2009098297.tif 000017
【図１６】
2009098297.tif 000018
【図１７】
2009098297.tif 000019
【図１８】
2009098297.tif 000020
【図１９】
2009098297.tif 000021
【図２０】
2009098297.tif 000022
【図２１】
2009098297.tif 000023
【図２２】
2009098297.tif 000024
【図２３】
2009098297.tif 000025
【図２４】
2009098297.tif 000026
【図２５】
2009098297.tif 000027
【図２６】
2009098297.tif 000028
【図２７】
2009098297.tif 000029
【図２８】
2009098297.tif 000030
【図２９】
2009098297.tif 000031
【図３０】
2009098297.tif 000032
【図３１】
2009098297.tif 000033